(57)【要約】【課題】内炎式バーナ４を用いるガラストップコンロにおいて、ガラス天板２に五徳１４を介して無理な荷重が作用することを防止する。【解決手段】バーナ本体５上に設ける二次空気用のガイド部材９に、ガラス天板２に開設するコンロ開口３に挿入される挿入部９ａを形成する。挿入部９ａに上方から当接する着座部１４ｃを五徳１４に形成し、五徳１４をガイド部材９で支持する。【選択図】  図２
2004286302.tif 000002
【特許請求の範囲】
【請求項１】
コンロ本体に熱源たるバーナを設け、コンロ本体の上面を覆うガラス製の天板にバーナを臨ませるコンロ開口を開設すると共に、天板上にコンロ開口を囲うようにして五徳を配置して成るガラストップコンロであって、
バーナを、コンロ開口と同心の環状のバーナ本体に内向きの多数の炎孔を形成して成る内炎式のバーナで構成し、バーナ本体上に、バーナ本体の上面との間に二次空気用の通気路を画成する環状のガイド部材を取付けるものにおいて、
ガイド部材の内周部または外周部に、コンロ開口内に挿入される挿入部を形成し、この挿入部に上方から当接する着座部を五徳に形成して、五徳を天板から浮かせた状態で支持することを特徴とするガラストップコンロ。
【請求項２】
コンロ本体に熱源たるバーナを設け、コンロ本体の上面を覆うガラス製の天板にバーナを臨ませるコンロ開口を開設すると共に、天板上にコンロ開口を囲うようにして五徳を配置して成るガラストップコンロであって、
バーナを、コンロ開口と同心の環状のバーナ本体に内向きの多数の炎孔を形成して成る内炎式のバーナで構成し、バーナ本体上に、バーナ本体の上面との間に二次空気用の通気路を画成する環状のガイド部材を取付けるものにおいて、
ガイド部材の内周部または外周部に、コンロ開口内に挿入される挿入部を形成し、この挿入部の上方に隙間を存して対向する着座部を五徳に形成して、天板の許容範囲内での下方への撓みによる五徳の下方への変位で着座部が挿入部に当接するようにしたことを特徴とするガラストップコンロ。
【請求項３】
前記五徳に、前記挿入部に上方から嵌合する筒部を形成することを特徴とする請求項１または２に記載のガラストップコンロ。
【発明の詳細な説明】
【０００１】
【発明の属する技術分野】
本発明は、コンロ本体の上面を覆う天板をガラス製にすると共に、コンロ本体に設ける熱源たるバーナとして内炎式のバーナを用いるガラストップコンロに関する。
【０００２】
【従来の技術】
従来、内炎式のバーナを用いるコンロは知られている。このバーナは、天板に開設するコンロ開口と同心の環状のバーナ本体に内向きの多数の炎孔を形成して成るものである。そして、内炎式のバーナを用いる場合は、バーナ本体上に、バーナ本体の上面との間に二次空気用の通気路を画成する環状のガイド部材を取付けている。
【０００３】
ここで、天板とバーナ本体との上下方向距離が比較的大きい場合は、ガイド部材の内周部をコンロ開口に向けて立ち上げ、内周部がバーナの炎をコンロ開口内に導く火炎ガイドとして機能するようにしている（例えば、特許文献１参照。）。また、天板とバーナ本体との上下方向距離が比較的小さい場合は、ガイド部材を径方向外方に向かって上方に傾斜する漏斗状に形成し、外周部がコンロ開口を通して天板上に突出するようにしている（例えば、特許文献２参照。）。
また、最近は、外観性および清掃性の良さから、天板をガラス製としたガラストップコンロも市販されるようになっている。
【０００４】
【特許文献１】
実公平７−４０８８２号公報（第２頁、第１図）
【特許文献２】
実公平７−４２００２号公報（第２頁、第２図）
【０００５】
【発明が解決しようとする課題】
ガラストップコンロで内炎式バーナを用いる場合、コンロ開口の周辺部が相当に高温（３００℃以上）になるため、天板を耐熱性に優れた結晶化ガラスで形成することが必要になる。このような結晶化ガラス製の天板は、強化ガラスに比し強度が弱く、天板上の五徳に過大な荷重が作用した場合、天板が割れる可能性がある。特に、コンロの上方に配置するレンジフードのメンテナンスや清掃時に、人が五徳に足を掛けて、五徳に大きな荷重が掛かることがあるため、天板の割れを防止ための対策を講ずることが望まれる。尚、天板を強化ガラス製にする場合でも、軽量化のために厚さを薄くするときは、割れ防止対策が必要になる。
【０００６】
本発明は、以上の点に鑑み、内炎式バーナに付設するガイド部材を利用して、天板の割れを防止できるようにしたガラストップコンロを提供することをその課題としている。
【０００７】
【課題を解決するための手段】
上記課題を解決するために、コンロ本体に熱源たるバーナを設け、コンロ本体の上面を覆うガラス製の天板にバーナを臨ませるコンロ開口を開設すると共に、天板上にコンロ開口を囲うようにして五徳を配置して成るガラストップコンロであって、バーナを、コンロ開口と同心の環状のバーナ本体に内向きの多数の炎孔を形成して成る内炎式のバーナで構成し、バーナ本体上に、バーナ本体の上面との間に二次空気用の通気路を画成する環状のガイド部材を取付けるものにおいて、本発明の第１の特徴によれば、ガイド部材の内周部または外周部に、コンロ開口内に挿入される挿入部を形成し、この挿入部に上方から当接する着座部を五徳に形成して、五徳を天板から浮かせた状態で支持するようにし、また、本発明の第２の特徴によれば、ガイド部材の内周部または外周部に、コンロ開口内に挿入される挿入部を形成し、この挿入部の上方に隙間を存して対向する着座部を五徳に形成して、天板の許容範囲内での下方への撓みによる五徳の下方への変位で着座部が挿入部に当接するようにしている。
【０００８】
上記第１の特徴のものでは、五徳がガイド部材によって支持されることになる。そのため、天板には五徳からの荷重が作用しない。また、上記第２の特徴のものでは、天板に五徳からの荷重が作用するが、この荷重で天板が下方に撓むと、この撓み量が許容範囲を超えて天板の割れを生ずる前に、五徳の着座部が挿入部に当接し、以後、五徳はガイド部材によって支持される。従って、第１と第２の何れの特徴のものでも、天板に五徳を介して過大な荷重がすることを防止でき、天板の割れを生ずることはない。
【０００９】
尚、ガラス製の天板では、五徳を位置決めする穴等を形成できず、このままでは、五徳がバーナに対して芯ずれし、五徳に載置する調理容器の加熱むらを生ずる可能性がある。ここで、五徳に、前記挿入部に上方から嵌合する筒部を形成しておけば、ガイド部材を基準にして五徳を芯決めでき、有利である。
【００１０】
【発明の実施の形態】
図１は、コンロ本体１の上面に、ガラス、例えば、耐熱性に優れた結晶化ガラスで形成される天板（以下、ガラス天板と記す）２を装着したドロップイン式のガラストップコンロを示している。ガラス天板２には、左右一対のコンロ開口３，３が開設されている。そして、コンロ本体１内に、各コンロ開口３に臨ませて、熱源たる各バーナ４を設けている。
【００１１】
バーナ４は、図２に示す如く、コンロ開口３と同心の環状のバーナ本体５に内向きの炎孔６を多数形成して成る内炎式バーナで構成されている。バーナ本体５は、コンロ本体１の底板上に設けた台座７に固定されている。バーナ本体５上には、外方からの空気を炎孔６の近傍に燃焼用二次空気として導く二次空気用の通気路８をバーナ本体５の上面との間に画成する環状のガイド部材９が設けられている。ガイド部材９は、周方向複数箇所において、ブラケット１０を介してバーナ本体５に取付けられている。また、ガイド部材９の内周側の部分は、コンロ開口３に向けて上方に立ち上がっており、この内周側部分でバーナ４の炎をコンロ開口３内に導く火炎ガイドが構成されるようにしている。
尚、コンロ開口３の開口縁部には、割れ防止のための保護リング１１が装着されている。また、バーナ４の内径部（バーナ本体５で囲われる空間）の下方には、内径部に落下する煮こぼれを受けさせるために、汁受け皿１２が設けられている。
【００１２】
ガラス天板２上には、その手前側に、左右のバーナ４，４用の左右一対の操作摘み１３，１３が配置され、更に、左右一対のコンロ開口３，３に対応させて、調理容器Ｐを載置する左右一対の五徳１４，１４が配置されている。各五徳１４は、周方向に間隔を存して配置した複数の五徳爪１４ａと、これら五徳爪１４ａを連結する環状の五徳枠１４ｂとで構成されている。本実施形態では、五徳爪１４ａと五徳枠１４ｂとを鉄系材料、例えば、ステンレスで一体に鋳造成形している。
【００１３】
五徳枠１４ｂは、保護リング１１を上方から隙間を存して覆うカバーリングに兼用されている。そして、五徳枠１４ｂの内周部に、コンロ開口３に挿入されるガイド部材９の内周の挿入部９ａの上縁部分に上方から当接する着座部１４ｃを形成している。
【００１４】
以上の構成によれば、五徳１４がガラス天板２から浮いた状態でカバー部材９に支持されることになる。そのため、五徳１４に過大な荷重が掛かっても、ガラス天板２に無理は掛からず、ガラス天板２の割れが防止される。
また、五徳枠１４ｂの下面には、ガイド部材９の内周の挿入部９ａの上縁部分に上方から嵌合する筒部１４ｄが垂設されている。そのため、五徳１４は、ガイド部材９を基準にして芯決めされ、バーナ４に対する五徳１４の芯ずれが防止される。
【００１５】
図３は第２の実施形態を示している。この実施形態は、上記第１実施形態と基本的な構成は左程異ならず、上記と同様の部材に上記と同一の符号を付している。第２実施形態では、五徳１４を、五徳爪１４ａの外端部下縁に螺着したスペーサ１４ｅにおいて、ガラス天板２に着座させている。そして、五徳枠１４ｂの内周の着座部１４ｃが、常時は、ガイド部材９の内周の挿入部９ａの上縁部分の上方に隙間Ｌを存して対向するようにしている。この隙間Ｌは、ガラス天板２の許容範囲内における下方への撓み量に合わせて、例えば、２ｍｍ程度に設定されている。
【００１６】
この構成によれば、ガラス天板２に五徳１４からの荷重が作用するが、この荷重でガラス天板２が下方に撓むと、この撓み量が許容範囲を超えてガラス天板２の割れを生ずる前に、着座部１４ｃが挿入部９ａに当接する。以後、五徳１４はガイド部材９によって支持される。従って、ガラス天板２に五徳１４を介して過大な荷重がすることを防止でき、ガラス天板２の割れを生ずることはない。
以上、ガイド部材９として、内周側の部分を火炎ガイドに兼用するものを用いた実施形態について説明したが、ガラス天板２とバーナ本体５との間の上下方向距離が小さい場合には、図４に示す第３実施形態のように、バーナ本体５上に、径方向外方に向かって上方に傾斜する漏斗状のガイド部材１５を設け、バーナ本体５の上面との間に二次空気用の通気路８を画成する。ガイド部材１５は、周方向複数箇所においてブラケット１６を介してバーナ本体５に固定される。
そして、五徳枠１４ｂの内周の着座部１４ｃを、コンロ開口３に挿入されるガイド部材１５の外周の挿入部１５ａに上方から当接させて、五徳１４をガラス天板２から浮かせた状態で支持する。
【００１７】
尚、上記第２実施形態と同様に、五徳１４を常時ガラス天板２に着座させ、ガイド部材１５の外周の挿入部１５ａの上方に隙間を存して着座部１４ｃが対向するようにし、ガラス天板２の許容範囲内での下方への撓みで着座部１４ｃが挿入部１５ａに当接するように構成しても良い。
【００１８】
また、上記実施形態では、コンロをドロップイン式としたが、卓上式のガラストップコンロにも同様に本発明を適用できる。
【図面の簡単な説明】
【図１】本発明コンロの第１実施形態の斜視図。
【図２】第１実施形態の要部の断面図。
【図３】第２実施形態の要部の断面図。
【図４】第３実施形態の要部の断面図。
【符号の説明】
１…コンロ本体  ２…ガラス天板  ３…コンロ開口  ４…バーナ  ５…バ−ナ本体  ６…炎孔  ８…通気路  ９，１５…ガイド部材  ９ａ，１５ａ…挿入部  １４…五徳  １４ｃ…着座部  １４ｄ…筒部
【図１】
2004286302.tif 000003
【図２】
2004286302.tif 000004
【図３】
2004286302.tif 000005
【図４】
2004286302.tif 000006